【手続補正書】
【提出日】平成20年7月7日(2008.7.7)
【手続補正１】
【補正対象書類名】明細書
【補正対象項目名】発明の名称
【補正方法】変更
【補正の内容】
【発明の名称】情報処理装置および方法、並びにプログラム
【手続補正２】
【補正対象書類名】特許請求の範囲
【補正対象項目名】全文
【補正方法】変更
【補正の内容】
【特許請求の範囲】
【請求項１】
記録媒体に記録されている映像または音声のコンテンツに関する情報であるメタデータを記憶する記憶手段と、
前記記憶手段に記憶されている前記メタデータから、所定の識別子が付与されたメタデータを検索する検索手段と、
前記検索手段により検索されたメタデータを前記所定の識別子をタイトルとするリストに登録して、前記リストを作成する作成手段と、
前記メタデータが登録されたリストに基づいて、前記記録媒体に記録されている映像または音声のコンテンツの再生を制御する制御手段と
を備えることを特徴とする情報処理装置。
【請求項２】
前記映像または音声のコンテンツは、複数のセグメントから構成され、
前記メタデータは、前記映像または音声のコンテンツを特定する特定情報と、前記コンテンツを構成する各セグメントの期間範囲を規定するセグメント情報とを少なくとも含む
ことを特徴とする請求項１に記載の情報処理装置。
【請求項３】
前記セグメント情報には、開始時刻の相対時刻および終了時刻の相対時刻を示す情報が含まれる
ことを特徴とする請求項２に記載の情報処理装置。
【請求項４】
前記メタデータには、序数が記述されており、
前記作成手段は、前記序数に基づいて、前記リストに登録されたメタデータを並び替える
ことを特徴とする請求項１に記載の情報処理装置。
【請求項５】
1つの前記映像または音声のコンテンツには、１つ以上の前記メタデータが対応される
ことを特徴とする請求項１に記載の情報処理装置。
【請求項６】
記録媒体に記録されている映像または音声のコンテンツに関する情報であるメタデータを記憶する記憶手段を有する情報処理装置の情報処理方法であって、
前記記憶手段に記憶されている前記メタデータから、所定の識別子が付与されたメタデータを検索する検索ステップと、
前記検索ステップの処理により検索されたメタデータを前記所定の識別子をタイトルとするリストに登録して、前記リストを作成する作成ステップと、
前記メタデータが登録されたリストに基づいて、前記記録媒体に記録されている映像または音声のコンテンツの再生を制御する制御ステップと
を含むことを特徴とする情報処理方法。
【請求項７】
記録媒体に記録されている映像または音声のコンテンツに関する情報であるメタデータを記憶する記憶手段を有するコンピュータに実行させるためのプログラムであって、
前記記憶手段に記憶されている前記メタデータから、所定の識別子が付与されたメタデータを検索する検索ステップと、
前記検索ステップの処理により検索されたメタデータを前記所定の識別子をタイトルとするリストに登録して、前記リストを作成する作成ステップと、
前記メタデータが登録されたリストに基づいて、前記記録媒体に記録されている映像または音声のコンテンツの再生を制御する制御ステップと
を含む処理をコンピュータに実行させるプログラム。
【手続補正３】
【補正対象書類名】明細書
【補正対象項目名】０００１
【補正方法】変更
【補正の内容】
【０００１】
本発明は、情報処理装置および方法、並びにプログラムに関し、特に、あるテーマに基づいて仮想的な番組を構成する場合において、番組と番組に関する番組内容情報との管理を容易にするようにした情報処理装置および方法、並びにプログラムに関する。
【手続補正４】
【補正対象書類名】明細書
【補正対象項目名】０００５
【補正方法】削除
【補正の内容】
【手続補正５】
【補正対象書類名】明細書
【補正対象項目名】０００６
【補正方法】変更
【補正の内容】
【０００６】
例えば、図１に示されるように、記録された番組Ａ、番組Ｂ、および番組Ｃに対し、複数の番組内部に関する情報（メタデータ）の存在を許可する場合において、複数の番組をまたぐセグメント群（仮想的番組）のメタデータ（図１の例の場合、番組Ａ，Ｂ，Ｃをまたぐセグメント群のメタデータと、番組Ｂ，Ｃをまたぐセグメント群のメタデータ）が記述されると、記録された番組とメタデータの関係は、多対多になる。
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】変更
【補正の内容】
【００１０】
本発明はこのような状況に鑑みてなされたものであり、番組と番組内容情報の関係を１
対多にすることで、複数の実在の番組をまたぐ仮想的番組の再生処理が煩雑になることを回避し、容易に行われるようにするものである。
【手続補正９】
【補正対象書類名】明細書
【補正対象項目名】００１１
【補正方法】変更
【補正の内容】
【００１１】
本発明の一側面の情報処理装置は、記録媒体に記録されている映像または音声のコンテンツに関する情報であるメタデータを記憶する記憶手段と、前記記憶手段に記憶されている前記メタデータから、所定の識別子が付与されたメタデータを検索する検索手段と、前記検索手段により検索されたメタデータを前記所定の識別子をタイトルとするリストに登録して、前記リストを作成する作成手段と、前記メタデータが登録されたリストに基づいて、前記記録媒体に記録されている映像または音声のコンテンツの再生を制御する制御手段とを備える。
【手続補正１０】
【補正対象書類名】明細書
【補正対象項目名】００１２
【補正方法】変更
【補正の内容】
【００１２】
前記映像または音声のコンテンツは、複数のセグメントから構成され、前記メタデータは、前記映像または音声のコンテンツを特定する特定情報と、前記コンテンツを構成する各セグメントの期間範囲を規定するセグメント情報とを少なくとも含むようにすることができる。
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】削除
【補正の内容】
【手続補正１６】
【補正対象書類名】明細書
【補正対象項目名】００１８
【補正方法】削除
【補正の内容】
【手続補正１７】
【補正対象書類名】明細書
【補正対象項目名】００１９
【補正方法】削除
【補正の内容】
【手続補正１８】
【補正対象書類名】明細書
【補正対象項目名】００２０
【補正方法】削除
【補正の内容】
【手続補正１９】
【補正対象書類名】明細書
【補正対象項目名】００２１
【補正方法】削除
【補正の内容】
【手続補正２０】
【補正対象書類名】明細書
【補正対象項目名】００２２
【補正方法】削除
【補正の内容】
【手続補正２１】
【補正対象書類名】明細書
【補正対象項目名】００２３
【補正方法】変更
【補正の内容】
【００２３】
前記セグメント情報には、開始時刻の相対時刻および終了時刻の相対時刻を示す情報が含まれるものとすることができる。
【手続補正２２】
【補正対象書類名】明細書
【補正対象項目名】００２４
【補正方法】変更
【補正の内容】
【００２４】
前記メタデータには、序数が記述されており、前記作成手段は、前記序数に基づいて、前記リストに登録されたメタデータを並び替えるようにすることができる。
【手続補正２３】
【補正対象書類名】明細書
【補正対象項目名】００２５
【補正方法】変更
【補正の内容】
【００２５】
1つの前記映像または音声のコンテンツには、１つ以上の前記メタデータが対応されるものとすることができる。
【手続補正２４】
【補正対象書類名】明細書
【補正対象項目名】００２６
【補正方法】変更
【補正の内容】
【００２６】
本発明の一側面の情報処理方法は、記録媒体に記録されている映像または音声のコンテンツに関する情報であるメタデータを記憶する記憶手段を有する情報処理装置の情報処理方法であって、前記記憶手段に記憶されている前記メタデータから、所定の識別子が付与されたメタデータを検索する検索ステップと、前記検索ステップの処理により検索されたメタデータを前記所定の識別子をタイトルとするリストに登録して、前記リストを作成する作成ステップと、前記メタデータが登録されたリストに基づいて、前記記録媒体に記録されている映像または音声のコンテンツの再生を制御する制御ステップとを含む。
【手続補正２５】
【補正対象書類名】明細書
【補正対象項目名】００２７
【補正方法】変更
【補正の内容】
【００２７】
本発明の一側面のプログラムは、記録媒体に記録されている映像または音声のコンテンツに関する情報であるメタデータを記憶する記憶手段を有するコンピュータに実行させるためのプログラムであって、前記記憶手段に記憶されている前記メタデータから、所定の識別子が付与されたメタデータを検索する検索ステップと、前記検索ステップの処理により検索されたメタデータを前記所定の識別子をタイトルとするリストに登録して、前記リストを作成する作成ステップと、前記メタデータが登録されたリストに基づいて、前記記録媒体に記録されている映像または音声のコンテンツの再生を制御する制御ステップとを含む処理をコンピュータに実行させる。
【手続補正２６】
【補正対象書類名】明細書
【補正対象項目名】００２８
【補正方法】変更
【補正の内容】
【００２８】
本発明の情報処理装置および方法、並びにプログラムにおいては、記録媒体に記録されているコンテンツに関する情報であるメタデータが記録され、記憶されているメタデータから、所定の識別子が付与されたメタデータが検索され、検索されたメタデータが所定の識別子をタイトルとするリストに登録されて、リストが作成される。そして、メタデータが登録されたリストに基づいて、記録媒体に記録されている映像または音声のコンテンツの再生が制御される。
【手続補正２７】
【補正対象書類名】明細書
【補正対象項目名】００２９
【補正方法】変更
【補正の内容】
【００２９】
本発明の情報処理装置および方法、並びにプログラムによれば、複数の実在の番組をまたぐ仮想的番組の再生処理が煩雑になることが回避され、再生処理を容易にすることができる。